(57)【要約】  【課題】  本発明では、接地面に対して確実に滑らないよう接地することにより、乳児の安全性を確保することは勿論、保護者にとっても乳児を沐浴させることを効率的に行うことのできる乳児用流体入座椅子の提供を目的とする。  【解決手段】  流体を注入して膨張袋状に形成した支持部１１，２４における下部側を接地して乳児用の座椅子として用いる乳児用流体入座椅子１０，２０，３０であって、上記支持部１１における少なくとも上記下部側を、接地面Ｂに密着する軟質弾性部材１８により形成した乳児用流体入座椅子１０，２０，３０、又は、軟質弾性部材１８を具備しない乳児用流体入座椅子１００の下に敷設する軟質弾性部材１８を具備した乳児用流体入座椅子の軟質弾性敷物４０。  【選択図】    図１
2006230918.tif 000002
【特許請求の範囲】
【請求項１】
流体を注入して膨張袋状に形成した支持部における下部側を接地して乳児用の座椅子として用いる乳児用流体入座椅子であって、
上記支持部における少なくとも上記下部側を、接地面に密着する軟質弾性部材により形成した
乳児用流体入座椅子。
【請求項２】
流体を注入して膨張袋状に形成した支持部における下部側を接地して乳児用の座椅子として用いる乳児用流体入座椅子であって、
上記支持部における少なくとも上記下部側に、接地面と密着する軟質弾性部材を具備した
乳児用流体入座椅子。
【請求項３】
前記支持部を、平面視環状形態に形成し、
乳児が着席する着座部を、上記支持部における中央部に形成し、
上記着座部に着席した乳児の荷重に伴って、該着座部側に弾性変形して乳児を保持する保持部を、上記支持部における上部側から立設した
請求項１、又は、請求項２に記載の乳児用流体入座椅子。
【請求項４】
流体を注入して膨張袋状に形成した支持部における下部側を接地して用いる乳児用流体入座椅子と接地面との間に、敷設可能な大きさを有したシート状に形成し、
該シート状に形成した少なくとも１面を、密着性を有する軟質弾性部材により形成した
乳児用流体入座椅子の軟質弾性敷物。
【請求項５】
前記軟質弾性部材は、塩化ビニール樹脂部材に可塑剤を含有して形成した軟質塩化ビニール樹脂部材である
請求項１から請求項３のうちいずれか１項に記載の乳児用流体入座椅子、又は、請求項４に記載の軟質弾性敷物。
【請求項６】
前記軟質弾性部材における少なくとも一方の面に粘着層を形成した
請求項１から請求項３のいずれか一項、或いは、請求項５に記載の乳児用流体入座椅子、又は、請求項４、或いは、請求項５に記載の軟質弾性敷物。
【発明の詳細な説明】
【技術分野】
【０００１】
この発明は、流体を注入して膨らませた状態で、例えば、乳児を沐浴させる場合に用いる乳児用の座椅子に関する。
【背景技術】
【０００２】
一般に、乳児を沐浴させる場合においては、沐浴中に乳児が転倒などして怪我をしないように、或いは、保護者にとっても乳児を沐浴させ易いように、乳児の姿勢を安定した状態に保つ必要がある。
【０００３】
これに対して、様々な対策を講じた乳児用の座椅子に関する文献が開示されている。
【０００４】
例えば、下記特許文献に係る「空気入椅子」についての考案が開示されている。  
上記空気入椅子には、乳児が着座する座部を具備している。上記座部は、下面に、地面に接地させる底面シートを具備し、該座部の上面周囲における所定部位には、肘掛付背凭部を具備している。さらに、上記座部の前縁における中央箇所には、座者の股間に挟み置く膨縮自在な前ズレ阻止用膨大部が形成されている。
【０００５】
上記前ズレ阻止用膨大部は、それ自体を膨張させた状態で起立させて、乳児の股間に挟み込んで用いることができる。このように用いることで、上記前ズレ阻止用膨大部を、乳児を定位置に留めておくためのストッパとして機能させることができる。  
さらに、下記特許文献には、上記前ズレ阻止用膨大部によって上記空気入椅子に着座する乳児が上記座部材上を前方向に滑り、転倒してしまうことを阻止できる旨の記載もされている。
【０００６】
確かに、上記空気入椅子（特に、上記座部材）に対して、乳児が滑ってしまう事態は、上記前ズレ阻止用膨大部を用いることによって阻止することができるといえなくもない。
【０００７】
ところが、上記空気入椅子は、該空気入椅子自体が上に載せた乳児ごと滑ってしまうという問題について何ら対策が講じられていないといわざるを得ない。
【０００８】
すなわち、上記空気入椅子は、該空気入椅子自体が接地面上を滑れば乳児にとって危険であるとともに、保護者にとっても乳児を沐浴させ難い事態が生じてしまうという問題を有する。
【０００９】
なぜなら、上記空気入椅子は、通常、風呂場などのタイルを敷詰めた平らで、且つ、水に濡れた滑り易い床面に接地して用いられるからである。しかも、上記底面シートは、シート状に形成し、さらに、撥水性の有する素材として頻繁に用いられる例えば、合成樹脂などの摩擦係数の低い素材により形成していると想定することができるからである。
【００１０】
従って、乳児がたとえ股間に上記前ズレ阻止用膨大部を挟んでいても、例えば、上記肘掛付背凭部側（後方側）へ倒伏するなどして体重をかけた場合、その慣性力により、上記空気入椅子は、上記乳児が上記肘掛付背凭部側へ倒伏する方向とは反対側（前方側）へ上記床面上を滑ってしまう事態などが生じてしまうという問題を有する。
【００１１】
ちなみに、乳児用流体入座椅子には、例えば、接地面との接触面積を増やすべく、上記底面シート自体を大きく形成するという改善策も考えられるが、その場合、上記空気入椅子は、風呂場などの限られたスペースにおいて使用されるため、接地場所を要してしまうという別の問題が生じてしまう。
【特許文献１】実用新案登録第３０６８４４３号公報
【発明の開示】
【発明が解決しようとする課題】
【００１２】
そこで本発明では、接地面に対して確実に滑らないよう接地することにより、乳児の安全性を確保することは勿論、保護者にとっても乳児を沐浴させることを効率的に行うことのできる乳児用流体入座椅子の提供を目的とする。
【課題を解決するための手段】
【００１３】
本発明の乳児用流体入座椅子は、流体を注入して膨張袋状に形成した支持部における下部側を接地して乳児用の座椅子として用いる乳児用流体入座椅子であって、上記支持部における少なくとも上記下部側を、接地面に密着する軟質弾性部材により形成した、或いは、上記支持部における少なくとも上記下部側に、接地面と密着する軟質弾性部材を具備したことを特徴とする。  
上記流体には、空気をはじめ、その他の気体、或いは、水などの液体も含む。
【００１４】
上記軟質弾性部材は、接地面にしっかりと密着するものであれば、特に限定せず、例えば、塩化ビニール樹脂部材に可塑剤（柔軟剤）を含有して形成した軟質塩化ビニール樹脂部材などの軟質の合成樹脂であってもよく、その他にも天然ゴム、合成ゴム、シリコーン、或いは、これらを組み合わせたものなどを適用することができる。
【００１５】
なお、上記支持部における少なくとも上記下部側を、上記軟質弾性部材により形成した形態、或いは、上記支持部における少なくとも上記下部側に、上記軟質弾性部材を具備した形態は、乳児用流体入座椅子に適用するに限定せず、例えば、ベビーバスなど、流体を注入して膨張袋状に形成した形態を具備した他のベビー用品に適用してもよい。
【００１６】
好ましくは、本発明の乳児用流体入座椅子は、上記支持部を、平面視環状形態に形成し、乳児が着席する着座部を、上記支持部における中央部に形成し、上記着座部に着席した乳児の荷重に伴って、該着座部側に弾性変形して乳児を保持する保持部を、上記支持部における上部側から立設して形成するとよい。
【００１７】
また、本発明の軟質弾性敷物は、流体を注入して膨張袋状に形成した支持部における下部側を接地して用いる乳児用流体入座椅子と接地面との間に、敷設可能な大きさを有したシート状に形成し、該シート状に形成した少なくとも１面を、密着性を有する軟質弾性部材により形成したことを特徴とする。
【００１８】
さらに、上述した軟質弾性部材における少なくとも一方の面に粘着層を形成するとよい。  
上記粘着層は、上記軟質弾性部材における両面、或いは、いずれか一方の面にのみ形成することができる。  
特に、上記粘着層を上記軟質弾性部材の両面に形成する場合は、上記軟質弾性敷物の両面に形成する場合に適用することが好ましく、さらに、軟質弾性敷物の両面に粘着層を形成する場合は、各面ごとに異なる特性を有する粘着層を形成してもよい。
【００１９】
例えば、上記上記軟質弾性部材の両面における、接地面と接触する側の面には、上記軟質弾性敷物が接地面に対して滑らないような粘着力を有する粘着層を形成し、乳児用流体入座椅子を載置する側の面には、乳児用流体入座椅子が上記軟質弾性敷物に対して滑らないような粘着力を有する粘着層を形成することができる。
【００２０】
なお、上記粘着層は、粘着剤を塗付したり、スプレー状に吹き付けたりするなどいずれの手段で形成してもよい。
【発明の効果】
【００２１】
請求項１、又は、請求項２に係る発明によれば、乳児用流体入座椅子は、空気を充填して形成し、さらに、乳児用流体入座椅子に着座した乳児の体格は小さいため、軽量であるにも関わらず、接地面に対して滑ることなく接地することができる。これは、乳児用流体入座椅子を上記軟質弾性部材を用いて形成しているためである。
【００２２】
すなわち、上記軟質弾性部材は、接地面に対する押し付けが小さくても、或いは、接地面の形状が複雑であっても、軟質であるため、該接地面の形状に応じて積極的に弾性変形する。このような接地面に対して隙間が生じないよう密着しようとする上記軟質弾性部材の有する特性により、例えば、乳児を沐浴させる場合において、乳児が転倒などを防ぐことができることは勿論、保護者にとっても乳児を効率的に沐浴させることができる。
【００２３】
請求項３に係る発明によれば、上記保持部は、乳児が着座部に着座したとき、乳児の荷重に伴って、着座部側に弾性変形することにより乳児を保持する。  
このため、例えば、沐浴させる間において、乳児を着座部に着座した状態に留めておくことができる。
【００２４】
さらに、上記乳児用流体入座椅子は、軟質弾性部材を具備することにより、積極的に接地面に密着する。このため、乳児用流体入座椅子自体の横滑りを防止することができるのは勿論、上記保持部を上述したように着座部側に弾性変形した形態のまま維持することができる。  
よって、着座部に着座する乳児を、さらに安定して保持することができる。
【００２５】
請求項４に係る発明によれば、本発明に係る軟質弾性敷物を接地面に敷設し、上記軟質弾性敷物の上に、例えば、流体を注入して膨張袋状に形成した形態を具備した既存のベビー用品を、載置して用いることができる。
【００２６】
このように用いることで、上記軟質弾性敷物は、既存のベビー用品であっても、風呂場などの床面に対しての横滑りを防止することができる。
【００２７】
請求項５に係る発明によれば、上記軟質弾性部材を、軟質塩化ビニール樹脂部材を用いて形成すれば、上記軟質塩化ビニール樹脂部材は、撥水性、耐水性、さらに、ある程度の耐熱性などを有することは勿論、軟質、且つ、弾力性も有するため、風呂場などの水周り設備周辺で用いても乳児用流体入座椅子が横滑りすることを確実に防止することができる。
【００２８】
請求項６に係る発明によれば、上記軟質弾性部材に粘着層を形成することにより、粘着力を発揮することができる。このため、上記粘着層は、上記軟質弾性部材の有する乳児用流体入座椅子、或いは、上記軟質弾性敷物の横滑りを防止できるという特性に加えて、さらに、乳児用流体入座椅子、或いは、上記軟質弾性敷物が横滑りし難くなるよう補うことができる。
【発明を実施するための最良の形態】
【００２９】
この発明の一実施形態を、以下図面を用いて説明する。  
図１は、本実施形態における乳児用流体入座椅子１０の外観を示すとともに、乳児用流体入座椅子１０に乳児Ａが着座している様子を示す（仮想線参照）。
【００３０】
上記乳児用流体入座椅子１０は、下部外周部において平面視円環状形態に形成して全体を支持する支持部１１を具備している。さらに、図２、図３に示したように、上記支持部１１の中心部に相当する中空部には、乳児Ａが臀部を載置して着座する着座部１２を具備している。
【００３１】
上記着座部１２には、弾性ウレタン部材を平面視略円板形状に形成した芯材１３を内在し、該着座部１２における外周側部位を上記支持部１１における内周側部位と連結部１４を介して連結している。
【００３２】
なお、上記連結部１４は、断面視すると、上記支持部１１の内周部から所定の厚みを有して中心側へ突き出し、突き出すに従って徐々に幅小となり、その先端部を上記着座部１２に連結した形態を採る。
【００３３】
一方、上記支持部１１における上側には、上記着座部１２に着座した乳児Ａを外周側から保持する保持部１５を具備している。  
上記保持部１５は、上記着座部１２に着座した乳児Ａの背面側に有して主に乳児Ａの背凭れとなる背凭れ部１５ａ、乳児Ａの左右両側に有して主に乳児Ａの肘掛けとなる肘掛け部１５ｂ、及び、上記背凭れ部１５ａと対向する背凭れ対向部１５ｃを具備して形成している。
【００３４】
上記背凭れ部１５ａ、及び、上記肘掛け部１５ｂは、平面視略Ｕ字形状をして一体に形成し、乳児用流体入座椅子１０の前側に該Ｕ字形状の開口側を臨ませて支持部１１に対して一体に形成している。  
ちなみに、上記背凭れ部１５ａにおける上側には、該背凭れ部１５ａがさらに高くなるよう補助背凭れ部１５ｄを積載し、保持部１５の一部を形成している。
【００３５】
一方、上記背凭れ対向部１５ｃは、上記支持部１１における前端における着座した乳児Ａの股間部に相当する部位から上記背凭れ部１５ａと対向すべく突設している。
【００３６】
ところで、上記支持部１１、上記連結部１４、及び、上記保持部１５は、内部に空気を注入して膨張させた膨張袋状に形成している。
【００３７】
さらに、上記保持部１５、及び、上記連結部１４は、それぞれ上記支持部１１と内部で連通状態に形成するとともに、上記保持部１５における上記背凭れ部１５ａ、及び、上記補助背凭れ部１５ｄは、互いに内部において連通状態に形成している。
【００３８】
また、図４に示したように、乳児用流体入座椅子１０は、支持部１１の底面側における１部位にのみ、空気の注入、排出を任意に可能とする空気通過用口部材１６を具備している。
【００３９】
上述したように、上記乳児用流体入座椅子１０を構成する上記支持部１１、上記連結部１４、及び、上記保持部１５は、互いに内部において連通して一体に形成しているため、上記空気通過用口部材１６に空気を注入するだけで、乳児用流体入座椅子１０は全体を、所望の形態に膨張させることができる。
【００４０】
具体的には、乳児用流体入座椅子１０は、上記空気通過用口部材１６に空気を注入して膨張させたとき、上記図１に示したように、上記着座部１２が凹底部となるよう略全体が凹状形態となる。
【００４１】
また、上記支持部１１、上記連結部１４、及び、上記保持部１５、さらに、上記着座部１２における上記芯材１３の外覆部位は、撥水性、及び、非通気性を有する塩化ビニール樹脂シート１７により形成している（図１〜図３参照）。
【００４２】
但し、乳児用流体入座椅子１０の底面に相当する部位は、軟質弾性シート１８により形成している。上記軟質弾性シート１８は、シート状に形成した軟質の合成ゴムにより形成し、上記塩化ビニール樹脂シート１７と比較して柔軟、且つ、弾性を有して形成している（図４参照）。
【００４３】
ちなみに、上記乳児用流体入座椅子１０は、上記各部位の形態に応じて形成した上記塩化ビニール樹脂シート１７、及び、上記乳児用流体入座椅子１０の底面に相当する形態に形成した上記軟質弾性シート１８を、ウェルダー加工により高周波接着し、一体に形成している。
【００４４】
また、図５（ａ）に示したように、上記軟質弾性シート１８には、接地面Ｂと接地する側の面に、粘着層２１を形成している。
【００４５】
上記粘着層２１は、表面に粘着剤を塗付することによって形成している。使用する粘着剤は、後述詳説するように特に限定せず、公知の弾性粘着剤を用いている。
【００４６】
乳児用流体入座椅子１０は、以上のように形成しているが、該乳児用流体入座椅子１０を接地面Ｂに接地した場合おいて、乳児用流体入座椅子１０が奏する作用・効果について、以下、説明する。
【００４７】
上記乳児用流体入座椅子１０を接地面Ｂに接地するとともに、着座部１２に乳児Ａが着座すれば、上述したように、乳児用流体入座椅子１０は、その底面を上記軟質弾性シート１８により形成しているため、乳児用流体入座椅子１０の自重と、乳児Ａの重さによって、軟質弾性シート１８自体が弾性変形する。この軟質弾性シート１８の弾性変形に応じた弾性力（復元力）が作用するため、さらに接地面Ｂと密着しようとする。
【００４８】
ここで、接地面Ｂに接地した乳児用流体入座椅子の底面と、接地面Ｂとの間に空気や水が介在している場合に着目する。まず、図１０に示したように、底面に軟質弾性シート１８を具備しておらず、上記塩化ビニール樹脂シート１７で形成した従来の乳児用流体入座椅子１００の場合、底面と接地面Ｂとの間には所々、水や空気Ｄが介在したままの状態である。
【００４９】
これに対して、本実施形態における乳児用流体入座椅子１０は、図６に示したように、軟質弾性シート１８が積極的に弾性変形して軟質弾性シート１８と接地面Ｂとの間に隙間がなくなるよう接地面Ｂ側に付勢する。すなわち、支持部１１における下部側において、皺や弛みが生じないように接地面Ｂ側に付勢することができる。
【００５０】
よって、支持部１１の下部側において、水や空気Ｄを積極的に除去することができるため、略真空状態を確保できるとともに、支持部１１の下部側を接地面Ｂに密着させることができるため、上記乳児用流体入座椅子１０の横滑りを防止することができる。
【００５１】
また、仮に、乳児用流体入座椅子１０を、タイルを敷き詰めた複数の凹溝部Ｃが存在する例えば、風呂場の床面に接地して用いる場合、従来であれば、図１０に示したように、床面上に有する凹溝部Ｃに有する水や空気Ｄの存在により、乳児用流体入座椅子１０の横滑りの要因となっていた。
【００５２】
これに対して、本実施形態における乳児用流体入座椅子１０は、底面を軟質弾性シート１８により形成しているため、図６に示したように、該軟質弾性シート１８が弾性変形し、凹溝部Ｃ内に入り込んで、該凹溝部Ｃの縁部に係合するため、さらに横滑りし難くすることができる。
【００５３】
また、本実施形態における乳児用流体入座椅子２０は、上記実施形態に限定しない。他の実施形態として乳児用流体入座椅子１０は、支持部２４を、該支持部２４の下部側も含めて全て他の部位と同様に塩化ビニール樹脂シート１７により形成し、その後工程において、上記支持部２４の下部側に対応する部位に、図７（ａ），（ｂ）に示したように、支持部２４の下部側に対応する形態に加工した軟質弾性シート１８を添着して形成してもよい。
【００５４】
また、乳児用流体入座椅子３０は、図８に示したように、上記支持部２４の下部側全体に上記軟質弾性シート１８を添着しなくても、下部側における横滑りを防止可能とする所定部位のみに添着してもよい。
【００５５】
上述したように形成すれば、必要とする部位のみ軟質弾性シート１８を添着すればよいため、軟質弾性シート１８の量を減らせることができ、コストを低減できるとともに、確実に横滑りを防ぐこともできる。
【００５６】
また、他の実施形態として、図９に示したように、軟質弾性シート１８を具備せずに形成した乳児用流体入座椅子１００と、接地面Ｂとの間に介在させ、乳児用流体入座椅子１０の下側に敷設可能な大きさを有した軟質合成ゴム２５により形成した軟質弾性敷物４０を形成することもできる。
【００５７】
上記形態を採れば、本実施形態における軟質弾性敷物４０を、軟質弾性シート１８を具備していない既存の乳児用流体入座椅子１０の下側に敷くだけで、横滑りを防止することができる。
【００５８】
勿論、上記粘着剤は、上記軟質弾性敷物４０の両面における、接地面Ｂとの接触する側の面のみに添着するに限定せず、図５（ｂ）に示したように、既存の乳児用流体入座椅子１０の底面と接触する側の面にも添着することができ、さらに、各面に対して、異なる種類の粘着剤を添着してもよい。
【００５９】
また、本実施形態において、用いる粘着剤は、上記乳児用流体入座椅子１０，２０，３０、或いは、上記軟質弾性敷物４０の用途、使用状況などによって、要求される性質が異なるため、特に限定せず形成することができる。よって、例えば、天然ゴムなどのゴム系、アクリル系、シリコーン系など様々な粘着剤を適用することができる。
【００６０】
但し、粘着剤は、シンナーなどを使用していない環境（特に人体）に無害であるものが好ましいことは勿論、撥水性、耐水性、さらに、ある程度の耐熱性を有するものが好ましい。
【００６１】
さらに、粘着剤は、上記乳児用流体入座椅子１０，２０，３０、或いは、上記軟質弾性敷物４０の接地面Ｂに対する横滑りを補助的に防止できる粘着力を有していれば、充分であり、接地面Ｂから着脱自在であることは勿論、接地面Ｂから離間したとき、該接地面Ｂを傷めたり、粘着剤が残留したりすることのない粘着力であることが要求される。  
その他にも、粘着剤は、反復使用が可能に、すなわち、繰り返し張ったり剥がしたりできるものが好ましい。  
また、上記乳児用流体入座椅子１０，２０，３０に用いた上記軟質弾性シート１８、或いは、軟質弾性敷物４０に用いた弾性合成ゴム２５は、主に合成ゴムを用いて形成したが、接地面Ｂにしっかりと密着するものであれば、特に限定しない。例えば、塩化ビニール樹脂部材に可塑剤（柔軟剤）を含有して形成した軟質塩化ビニール樹脂部材などの軟質の合成樹脂であってもよく、その他にも天然ゴム、合成ゴム、シリコーン、或いは、これらを組み合わせたものなどを適用することができる。
【００６２】
また、上述の実施形態と、この発明の構成との対応において、この実施形態の空気は、この発明の流体に対応し、同様に、軟質弾性シート１８、又は、軟質合成ゴム２５は、軟質弾性部材に対応するも、この発明は、上述の実施形態の構成のみに限定されるものではなく、上述したように多くの実施の形態を得ることができる。
【図面の簡単な説明】
【００６３】
【図１】乳児用流体入座椅子の使用状態を示す外観図。
【図２】乳児用流体入座椅子の前後方向における断面図。
【図３】乳児用流体入座椅子を片断面で示した正面図。
【図４】乳児用流体入座椅子の底面図。
【図５】他の実施形態における乳児用流体入座椅子を要部拡大して示した断面図（ａ）、他の実施形態における軟質弾性敷物を要部拡大して示した断面図（ｂ）。
【図６】図２における領域Ｘを拡大して模式的に示した断面図。
【図７】他の実施形態における乳児用流体入座椅子を片断面で示した正面図（ａ）、他の実施形態における乳児用流体入座椅子の底面図（ｂ）。
【図８】さらに他の実施形態における乳児用流体入座椅子の底面図。
【図９】従来の乳児用流体入座椅子に本実施形態の軟質弾性敷物を敷設した状態を示す外観図。
【図１０】従来の乳児用流体入座椅子を接地した場合における図２の領域Ｘに対応する部位を拡大して模式的に示した断面図。
【符号の説明】
【００６４】
１０，２０，３０…乳児用流体入座椅子
４０…軟質弾性敷物
１１，２４…支持部
１２…着座部
１５…保持部
１８…軟質弾性シート
２１…粘着層
【図１】
2006230918.tif 000003
【図２】
2006230918.tif 000004
【図３】
2006230918.tif 000005
【図４】
2006230918.tif 000006
【図５】
2006230918.tif 000007
【図６】
2006230918.tif 000008
【図７】
2006230918.tif 000009
【図８】
2006230918.tif 000010
【図９】
2006230918.tif 000011
【図１０】
2006230918.tif 000012